【手続補正書】
【提出日】平成25年1月31日(2013.1.31)
【手続補正１】
【補正対象書類名】特許請求の範囲
【補正対象項目名】全文
【補正方法】変更
【補正の内容】
【特許請求の範囲】
【請求項１】
細胞懸濁物サンプルを分析する方法であって、
（ａ）第１のデータを受取るステップであって、前記第１のデータは、蛍光測定デバイスを有する第１の粒子分析器における前記サンプルの第１のアリコートの分析によって生成される、ステップと、
（ｂ）前記第１のデータにおける少なくとも１つの未分離細胞集団を検出するステップと、
（ｃ）記憶デバイスに保存された第２のデータにアクセスするステップであって、前記第２のデータは、第２の粒子分析器における細胞体積測定デバイス、光散乱測定デバイス、および細胞導電率測定デバイスの少なくとも１つを用いて、前記サンプルの第２のアリコートを調べることによって予め生成されている、ステップと、
（ｄ）前記第２のデータを用いて、前記第１のデータにおける前記少なくとも１つの未分離細胞集団を分離するステップ
を含む、方法。
【請求項２】
ステップ（ａ）は、蛍光測定デバイスを有する第１の粒子分析器における第１の分析のために前記サンプルの第１のアリコートを調製するステップと、
前記蛍光測定デバイスを用いて前記第１のアリコートを調べて第１のデータを生成するステップと、
を含む、請求項１に記載の方法。
【請求項３】
ステップ（ｄ）は、
前記第２のデータを解析して少なくとも１つの所定の条件の存在を検出するステップと、
前記第２のデータにおける前記少なくとも１つの所定の条件の前記存在に基づいて、前記未分離細胞集団を定めるステップ
を含む、請求項１に記載の方法。
【請求項４】
前記所定の条件は設定可能である、請求項３に記載の方法。
【請求項５】
ステップ（ｃ）および（ｄ）は血液分析器を用いて行われる、請求項１に記載の方法。
【請求項６】
（ｆ）コンピュータを用いて前記第１の分析中に前記未分離細胞集団を検出するステップをさらに含み、前記第２のデータに前記アクセスするステップはリアルタイムである、請求項１に記載の方法。
【請求項７】
前記第１の粒子分析器はフローサイトメータである、請求項１に記載の方法。
【請求項８】
前記第２の粒子分析器は血液分析器である、請求項１に記載の方法。
【請求項９】
前記細胞懸濁物サンプルは血液サンプルである、請求項１に記載の方法。
【請求項１０】
前記未分離細胞集団は、骨髄芽球細胞集団、プラズマ細胞集団、Ｔ芽球細胞集団、好塩基球細胞集団、好酸球細胞集団または未熟顆粒球細胞集団である、請求項９に記載の方法。
【請求項１１】
細胞懸濁物サンプルの分析のためのシステムであって、
前記サンプルの第１のアリコートを入力として受取り、蛍光測定デバイスを用いて第１のデータを生成するように構成された第１の粒子分析器と、
前記サンプルの第２のアリコートを入力として受取り、細胞体積測定デバイスおよび細胞導電率測定デバイスの少なくとも１つを用いて第２のデータを生成するように構成された第２の粒子分析器と、
前記第２の粒子分析器から前記第２のデータを受取るように構成された記憶デバイスと、
前記第１のデータおよび前記第２のデータを受取って分離細胞分布を生成するように構成されたコンピュータであって、前記第１のデータは、前記第１のデータのみに基づいて分離できない少なくとも１つの細胞集団を含み、前記コンピュータは前記第１の粒子分析器および前記記憶デバイスにつながれている、コンピュータ、
を含む、システム。
【請求項１２】
前記コンピュータから前記分離細胞分布を受取るように構成された報告デバイスをさらに含む、請求項１１に記載のシステム。
【請求項１３】
前記第１の粒子分析器および前記第２の粒子分析器は互いに独立しており、前記第１の粒子分析器および前記第２の粒子分析器は細胞懸濁物サンプルを同時に分析できる、請求項１１に記載のシステム。
【請求項１４】
前記第１の粒子分析器はフローサイトメータであり、前記第２の粒子分析器は血液分析器である、請求項１１に記載のシステム。
【手続補正２】
【補正対象書類名】明細書
【補正対象項目名】００１４
【補正方法】変更
【補正の内容】
【００１４】
本発明のさらなる特徴および利点、ならびに本発明のさまざまな実施形態の構造および動作は、添付の図面を参照して以下に詳細に説明される。なお、本発明は本明細書に記載される特定の実施形態に制限されないことに注意すべきである。こうした実施形態は本明細書において例示目的のためにのみ提供されるものである。本明細書に含まれる教示に基づいて、関連技術分野の技術者には付加的な実施形態が明らかになる。
本発明の好ましい実施形態では、例えば以下が提供される：
（項目１）
細胞懸濁物サンプルを分析する方法であって、
（ａ）第１のデータを受取るステップであって、前記第１のデータは、蛍光測定デバイスを有する第１の粒子分析器における前記サンプルの第１のアリコートの分析によって生成される、ステップと、
（ｂ）前記第１のデータにおける少なくとも１つの未分離細胞集団を検出するステップと、
（ｃ）記憶デバイスに保存された第２のデータにアクセスするステップであって、前記第２のデータは、第２の粒子分析器における細胞体積測定デバイス、光散乱測定デバイス、および細胞導電率測定デバイスの少なくとも１つを用いて、前記サンプルの第２のアリコートを調べることによって予め生成されている、ステップと、
（ｄ）前記第２のデータを用いて、前記第１のデータにおける前記少なくとも１つの未分離細胞集団を分離するステップ
を含む、方法。
（項目２）
細胞懸濁物サンプルを分析する方法であって、
（ａ）蛍光測定デバイスを有する第１の粒子分析器における第１の分析のために前記サンプルの第１のアリコートを調製するステップと、
（ｂ）前記蛍光測定デバイスを用いて前記第１のアリコートを調べて第１のデータを生成するステップと、
（ｃ）記憶デバイスに保存された第２のデータにアクセスするステップであって、前記第２のデータは、第２の粒子分析器における細胞体積測定デバイスおよび細胞導電率測定デバイスの少なくとも１つを用いて前記サンプルの第２のアリコートを調べることによって予め生成されている、ステップと、
（ｄ）前記第２のデータを用いて前記第１のデータにおける未分離細胞集団を分離して、分離細胞データを生成するステップと、
（ｅ）前記分離細胞データを報告するステップ
を含む、方法。
（項目３）
ステップ（ｄ）は、
前記第２のデータを解析して少なくとも１つの所定の条件の存在を検出するステップと、
前記第２のデータにおける前記少なくとも１つの所定の条件の前記存在に基づいて、前記未分離細胞集団を定めるステップ
を含む、項目２に記載の方法。
（項目４）
前記所定の条件は設定可能である、項目３に記載の方法。
（項目５）
ステップ（ｃ）、（ｄ）および（ｅ）はフローサイトメトリ分析中に起こる、項目２に記載の方法。
（項目６）
（ｆ）コンピュータを用いて前記第１の分析中に前記未分離細胞集団を検出するステップをさらに含み、前記第２のデータに前記アクセスするステップはリアルタイムである、項目２に記載の方法。
（項目７）
前記第１の粒子分析器はフローサイトメータである、項目２に記載の方法。
（項目８）
前記第２の粒子分析器は血液分析器である、項目２に記載の方法。
（項目９）
前記細胞懸濁物サンプルは血液サンプルである、項目２に記載の方法。
（項目１０）
前記未分離細胞集団は、骨髄芽球細胞集団またはプラズマ細胞集団である、項目９に記載の方法。
（項目１１）
前記未分離細胞集団は、Ｔ芽球細胞集団または好塩基球細胞集団である、項目９に記載の方法。
（項目１２）
前記未分離細胞集団は、好酸球細胞集団または未熟顆粒球細胞集団である、項目９に記載の方法。
（項目１３）
細胞懸濁物サンプルの分析のためのシステムであって、
前記サンプルの第１のアリコートを入力として受取り、蛍光測定デバイスを用いて第１のデータを生成するように構成された第１の粒子分析器と、
前記サンプルの第２のアリコートを入力として受取り、細胞体積測定デバイスおよび細胞導電率測定デバイスの少なくとも１つを用いて第２のデータを生成するように構成された第２の粒子分析器と、
前記第２の粒子分析器から前記第２のデータを受取るように構成された記憶デバイスと、
前記第１のデータおよび前記第２のデータを受取って分離細胞分布を生成するように構成されたコンピュータであって、前記第１のデータは、前記第１のデータのみに基づいて分離できない少なくとも１つの細胞集団を含み、前記コンピュータは前記第１の粒子分析器および前記記憶デバイスにつながれている、コンピュータ、
を含む、システム。
（項目１４）
前記コンピュータから前記分離細胞分布を受取るように構成された報告デバイスをさらに含む、項目１３に記載のシステム。
（項目１５）
前記第１の粒子分析器および前記第２の粒子分析器は互いに独立しており、前記第１の粒子分析器および前記第２の粒子分析器は細胞懸濁物サンプルを同時に分析できる、項目１３に記載のシステム。
（項目１６）
前記第１の粒子分析器はフローサイトメータであり、前記第２の粒子分析器は血液分析器である、項目１３に記載のシステム。